(57)【特許請求の範囲】
【請求項１】
装飾用チェーン要素であって、その要素が協働する内側スナップファスニング手段（５−６；８−１１）を備えた２個の相補的な部分（３；４）で構成される中空本体（１）を包含しており、その中空本体は少なくとも１個のリンク部材（１４；１５）をそのリンク部材とチェーンの隣接要素との接続を保持するように形状が定められており、かつ内側ロック部材（１２）を上記スナップファスニング手段が組立て位置にロックされるように保持していることを特徴とする、チェーン要素。
【請求項２】
２個の中空本体部分を締着するスナップファスニング手段が一つの中空本体部分（３）から突出した舌（５）を包含し、舌の夫々が他方の中空本体部分（４）内に形成された保持用支持面（１１）に対して係合するのに適した止め形成端部（６）を備えていることを特徴とする、請求項１による装飾用チェーン要素。
【請求項３】
上記他方の中空本体（４）が凹部（９）を備え、その凹部内に筒状ロック部材（１２）が支持され、上記ロック部材が中空本体（１）の２個の部分（３；４）の組立中に上記舌（５）の端部（６）を外側へ加圧し、これにより上記舌（５）の端部（６）を組立て位置にロックすることを特徴とする、請求項２による装飾用チェーン要素。
【請求項４】
中空本体（１）の２部分（３；４）がそれらの外壁にリンク部材（１４；１５）を受け入れるためのノッチ（１６；１７）を備え、かつ中空本体を構成している２個の部分（３；４）が組み立てられた後にリンクが中空本体内に保持されるようにしたことを特徴とする、前記何れかの請求項による装飾用チェーン要素。
【請求項５】
中空本体（１）が球状であることを特徴とする、前記何れかの請求項による装飾用チェーン要素。
【請求項６】
上記中空本体（１）が金属で作られ、かつそれが旋盤作業により作られていることを特徴とする、前記何れかの請求項による装飾用チェーン要素。
【請求項７】
各リンク部材が２個の頭部（１５）を有する釘（１４）で構成されていることを特徴とする、前記何れかの請求項による装飾用チェーン要素。
【請求項８】
中空本体の一方の部分（４）内に貴石（２）の装着のための盲孔（１０）が設けられていることを特徴とする、前記何れかの請求項による装飾用チェーン要素。
【発明の詳細な説明】
【０００１】
（技術分野）
本発明は装飾用チェーン要素に関し、この要素は例えば同じまたは異なる寸法を有する概ね球形の連続した要素からなり、かつ金属、好ましくは貴金属、例えば金で出来ている。
【０００２】
（背景技術）
ビーズのチェーンを次の方法により作ることは知られている：まず金属ワイヤーを規則的な間隔で打ち出し拡大領域を形成してそれらの間に狭い部分を残し；各拡大領域をビーズ形成のために形が作られた金属シート内に包み；それからビーズ内の各拡大領域に隣接した狭い部分でワイヤーを破壊する。
【０００３】
この方法は装飾用チェーンの製造には特に良くは採用されておらず、その理由は特にこの方法で作られたビーズが貴石の装着にまずく手を貸すからである。
【０００４】
ＦＲ−Ａ−２７７９９２１においては、出願人会社は連続的要素から作られた装飾用チェーンを記載しており、そのチェーンが特徴としていることは、チェーンの要素の少なくとも１個が中空本体を包含し、この中空本体がチェーンの隣接要素に接続されているリンク部材を保持するように形成されたインサートを内部に固着しており、このインサートが少なくとも１個の割りスリーブにより構成され、このスリーブがリンク部材の本体の通過を許容するのに充分な広さに形成されていることである。
【０００５】
（発明の開示）
（発明が解決しようとする技術的課題）
本発明は組立工程に適した装飾用チェーン要素を提供するもので、この組立工程は先行文献のチェーン要素によるよりも速く、かつ特にチェーンをもぎ取ろうとの試みに対してより大きい強度を有する組立要素を提供するものである。
【０００６】
本発明のチェーン要素は基本的には、協働する内側スナップファスニング手段を備えた２個の相補的な部分で構成される中空本体を包含しており、その中空本体は少なくとも１個のリンク部材をそれとチェーンの隣接要素の接続のために保持するように形状が定められており、かつ内側ロック部材を組立位置においてスナップファスニング手段をロックするために保持していることを特徴としている。
【０００７】
好ましくは、２個の中空本体部分を締着するスナップファスニング手段が一つの中空本体部分から突出した舌を包含し、舌の夫々が他方の中空本体部分内に形成された保持用支持面に対して係合するのに適した止め形成端部を備えている。上記他方の中空本体が好ましくは凹部を備え、その凹部内に筒状ロック部材が支持され、上記ロック部材が中空本体の２個の部分の組立中に上記舌の端部を外側へ加圧し、これによりそれらを組立て位置にロックする。
【０００８】
このロック部材は中空本体と同じ材料で作られかつ組立中に舌の端部を変形させるように作用し、従って舌が、いわば、それらの支持面に対してリベット止めされる。
【０００９】
本発明の中空本体の２部分がそれらの外壁にリンク部材を受け入れるための削除部分を備え、かつ中空本体を構成している２個の部分が組み立てられた後にリンクが中空本体内に保持されるようにしている。
【００１０】
本発明は中空本体のための多くの変形形状に適応することができ、その中空本体は好ましくは球状であり、旋盤作業により作られており、中空本体の一方の部分に形成されている盲孔内に装着された貴石を支持するのに適している。
【００１１】
出願人会社名の前述の先行文献にあるのと同様に、リンク部材は２個の頭部を有する釘により構成され得る。
【００１２】
本発明の他の利点および特徴は、添付図面に関連して提供された非限定的な実施例の以下の記載に表れている。
【００１３】
（発明を実施するための最良の形態）
図は本発明の要素の実施例を示しており、この要素は球形で、全体符号１が与えられており、かつその中に装着された貴石２を備え、この要素は金またはその他の貴金属で作られている。
【００１４】
本発明の要素は２個の部分３および４の組立てにより作られた中空本体であり、各部分の外形は球状であり、この２個の部分はそれらがひとたび組み立てられると概ね球形の要素１を構成する。
【００１５】
相互の締着のために、要素３および４はスナップファスニング作動する協働ロック手段を備えている。
【００１６】
これらの手段は舌５を包含し、図示の例ではこれらの舌は３個であり、部分３から突出しかつ等角度で分配されており、上記の各舌５はその端部に止め６を備えている。
【００１７】
図５内においてより明瞭に見えるように、部分３に対して相補的な要素１の部分４は盲孔１０と共に連続した筒状キャビテイー７、８、９を備えており、盲孔は貴石２の受入れおよび装着のために部分円錐台形である。
【００１８】
キャビテイー７は要素３の舌５を案内しかつ受入れ得る寸法とされ、キャビテイー７および８の間に段付支持面１１を備えて、止め形成端部６がキャビテイー８内に受け入れられた時に、その上に各舌５の止め形成端部６がスナップ係合する支持面を構成しており、このことは図４においてより明瞭に見ることができる。
【００１９】
図５で分かるように、キャビテイー８はより小径のキャビテイー９により延長されており、その小径キャビテイー内には面取端部１３を備えたリング１２がタイトフィット支持され得る。
【００２０】
特に図２ないし４で分かるように、リング１２はキャビテイー９内にその面取端部１３がキャビテイー８内に突出するように支持され、面取端部は舌５の止め形成端部６を支持している。
【００２１】
図４で分かるように、部分３および４の組立ておよびスナップファスニングによる相互ロックの間に、舌５の内面はリング１２で構成されている環状ロック部材の面取部１３に対して滑りかつ外方へ押され、これにより舌の止め形成端部６を外方へ変形させてスナップファスニング手段の移動阻止が確保される。
【００２２】
舌の端部が“リベット止め”される効果は本発明のチェーン要素を構成している２個の機械的部分が確実に保持されることを保証し、チェーンを引きちぎろうとする試みに耐える優れた能力を提供する。
【００２３】
装飾用チェーンにおける隣接要素への接続のために、本発明の要素は筒状釘１４を受け入れるのに適しており、各釘は夫々がダブルコーン形の２個の頭部１５を備えている。
【００２４】
釘１４を受け入れるために、本発明のチェーン要素の部分３および４は対応するノッチ１６および１７を備え、これらのノッチは組立位置において整合しており、かつ釘１４をその中に係合保持し、要素のキャビテイー内に保持され、一方では多くの方向に自由に可動であり、しかもそれにも拘わらずキャビテイーからの脱出は阻止されている。
【００２５】
本発明は特殊な実施例に関連して上述されているが、本発明はそれらに限定されるものではなく、かつ本発明の領域または精神を越えることなく変更または変形がなされ得ることは明らかである。
【００２６】
従って、例では３個のリンク部材が等分角で分配されているものを示しているが、任意数のそのような部材を備えかつそれらが規則的にまたは他の方法で分配されることを想定することも全く可能である。
【図面の簡単な説明】
【図１】  図１は本発明の装飾用チェーン要素の平面図であり、この要素は隣接要素に接続するための３個のリンク部材を備えている。
【図２】  図２は図１のII―II断面図である。
【図３】  図３は図１のIII―III断面図である。
【図４】  図４は図２のＡ部分の詳細を示す拡大図である。
【図５】  図５は組立て前における本発明の要素の構成を示すための図２に対応する分解図である。
【図１】
0003880857.tif 000002
【図２】
0003880857.tif 000003
【図３】
0003880857.tif 000004
【図４】
0003880857.tif 000005
【図５】
0003880857.tif 000006